(57)【要約】【課題】従来のナースコールシステムではナースコールの誤通報を十分に防ぐことができない問題があった。【解決手段】本発明にかかる電子ナースコール装置は、人感センサ２が動体を検出したことに応じて発信する無線信号を受けて、動作開始信号ＳＴを生成する無線受信部１１と、動作開始信号ＳＴに応じて通報信号ＣＡＬを生成する通報信号生成部３１と、通報信号ＣＡＬに応じてケアタイムの計時を開始してケアタイムの経過時間に応じて通報信号生成部３１による通報信号ＣＡＬの生成の可否を制御するケアタイム制御部３３と、を有し、ケアタイム制御部３３は、ケアタイムが予め設定された終了時間に達するまで通報信号生成部３１による通報信号ＣＡＬの生成を停止させ、終了時間の前に設定される終了予告期間の間に動作開始信号ＳＴの入力があった場合には、ケアタイムの計測値をリセットした上で再度計時処理を行う。【選択図】図３
2014042735.tif 000002
【特許請求の範囲】
【請求項１】
人感センサが動体を検出したことに応じて発信する無線信号を受けて、動作開始信号を生成する無線受信部と、
前記動作開始信号に応じて通報信号を生成する通報信号生成部と、
前記通報信号に応じてケアタイムの計時を開始して前記ケアタイムの経過時間に応じて前記通報信号生成部による前記通報信号の生成の可否を制御するケアタイム制御部と、を有し、
前記ケアタイム制御部は、前記ケアタイムが予め設定された終了時間に達するまで前記通報信号生成部による前記通報信号の生成を停止させ、前記終了時間の前に設定される終了予告期間の間に前記動作開始信号の入力があった場合には、前記ケアタイムの計測値をリセットした上で再度計時処理を行う電子ナースコール装置。
【請求項２】
前記ケアタイム制御部は、前記ケアタイムの経過時間に応じて外部に設けられる計測状態インジケータの点滅間隔を制御するインジケータ制御信号を出力し、前記ケアタイムが前記終了予告期間である場合は、他の期間よりも前記計測状態インジケータの点滅間隔を短くする請求項１に記載の電子ナースコール装置。
【請求項３】
前記人感センサは、複数の人感センサを含み、
前記無線受信部は、前記複数の人感センサのいずれが前記動体を検出したかにかかわらず前記動作開始信号を生成する請求項１又は２に記載の電子ナースコール装置。
【請求項４】
前記人感センサは、前記動体を検出したことに応じて一定期間点灯する補助ライトを有する請求項３に記載の電子ナースコール装置。
【請求項５】
前記補助ライトは、天井を照らす方向に取り付けられる請求項４に記載の電子ナースコール装置。
【請求項６】
前記通報信号を受けてナースコール信号は発信するナースコール信号生成部を有する請求項１乃至５のいずれか１項に記載の電子ナースコール装置。
【請求項７】
前記通報信号を受けて電子メールを生成する電子メール生成部と、
生成された電子メールを生成する通信部と、を有する請求項１乃至６のいずれか１項に記載の電子ナースコール装置。
【発明の詳細な説明】
【技術分野】
【０００１】
本発明は電子ナースコール装置に関し、例えば、患者の起き上がりを検出してナースコールを行う電子ナースコール装置に関する。
【背景技術】
【０００２】
介護現場では、被介護者と介護者との間のコミュニケーションにおいてナースコールシステムが多く用いられている。例えば、ベッドから起き上がる際には転倒等の事故が発生しやすく、このような場合に被介護者がナースコールを用いて介護者を呼ぶことがある。
【０００３】
そこで、利用者の負担を軽減するために多くのナースコールシステムが提案されている。例えば、特許文献１には、呼び出し又は警報の停止を指示するための停止ボタンと、呼び出し又は警報の出力の停止／復旧に関する動作を制御する制御部とを備え、停止ボタンが操作された時点から所定時間だけ呼び出し又は警報の出力を停止するように制御することにより、看護師が停止ボタンを押下してから処置を行えば、処置中に誤ってナースコール子機のセンサが動作しても、呼び出しや警報の出力が行われることがなくなるようにするとともに、停止ボタンを操作してから所定時間が経過した時点で、呼び出しや警報の出力が自動的に復旧するようにする誤報防止装置が開示されている。この特許文献１に記載の誤報防止装置によれば、看護師の処置中には呼び出しや警報の出力を停止することができ、かつ、処置の終了後には看護師が面倒な操作を行うことなく呼び出しや警報の出力を確実に復旧させることができるようにすることができる。
【先行技術文献】
【特許文献】
【０００４】
【特許文献１】特開２００７−２８２８７８号公報
【発明の概要】
【発明が解決しようとする課題】
【０００５】
しかしながら、特許文献１に記載の技術では、呼び出し又は警報（以下呼び出し等と称す）の停止は予め設定された所定時間しか停止することができず、介護に予定以上の時間を要するような場合には呼び出し等が誤って行われることを防止することができない。また、特許文献１に記載の技術では、呼び出し等を停止するために停止ボタンを押さなければならないため、例えば、介護者が停止ボタンを押す前に介護者がマットセンサ等の検出装置を動作させてしまった場合の誤通報を防止することができない問題が生じる。
【課題を解決するための手段】
【０００６】
本発明にかかる電子ナースコール装置は、人感センサが動体を検出したことに応じて発信する無線信号を受けて、動作開始信号を生成する無線受信部と、前記動作開始信号に応じて通報信号を生成する通報信号生成部と、前記通報信号に応じてケアタイムの計時を開始して前記ケアタイムの経過時間に応じて前記通報信号生成部による前記通報信号の生成の可否を制御するケアタイム制御部と、を有し、前記ケアタイム制御部は、前記ケアタイムが予め設定された終了時間に達するまで前記通報信号生成部による前記通報信号の生成を停止させ、前記終了時間の前に設定される終了予告期間の間に前記動作開始信号の入力があった場合には、前記ケアタイムの計測値をリセットした上で再度計時処理を行う。
【０００７】
本発明にかかる電子ナースコール装置によれば、人感センサに動体検出をさせることでケアタイムを延長できるため、呼び出し等が誤って送信されることを防止することができる。
【発明の効果】
【０００８】
本発明にかかる電子ナースコール装置によれば、利用者に負担を強いることなく呼び出し等が誤って行われることを防止することができる。
【図面の簡単な説明】
【０００９】
【図１】実施の形態１にかかる電子ナースコール装置を含むナースコールシステムの図である。
【図２】実施の形態１にかかるナースコールシステムの検出エリアを説明するための図である。
【図３】実施の形態１にかかる電子ナースコール装置のブロック図である。
【図４】実施の形態１にかかる電子ナースコール装置の動作を示すフローチャートである。
【図５】実施の形態１にかかる電子ナースコール装置の動作を説明するタイミングチャートである。
【図６】実施の形態１にかかる電子ナースコール装置の動作を説明するタイミングチャートである。
【図７】実施の形態２にかかる電子ナースコール装置を含むナースコールシステムの図である。
【図８】実施の形態２にかかる電子ナースコール装置の動作を説明するタイミングチャートである。
【図９】実施の形態３にかかる電子ナースコール装置を含むナースコールシステムの図である。
【図１０】実施の形態３にかかる電子ナースコール装置のブロック図である。
【図１１】実施の形態３にかかる電子ナースコール装置の動作を示すフローチャートである。
【図１２】実施の形態３にかかる電子ナースコール装置の動作を説明するタイミングチャートである。
【図１３】実施の形態３にかかる電子ナースコール装置の動作を説明するタイミングチャートである。
【図１４】実施の形態４にかかる電子ナースコール装置を含むナースコールシステムの図である。
【図１５】実施の形態４にかかる電子ナースコール装置のブロック図である。
【図１６】実施の形態４にかかる電子ナースコール装置の動作を示すフローチャートである。
【発明を実施するための形態】
【００１０】
実施の形態１
以下、図面を参照して本発明の実施の形態について説明する。まず、実施の形態１にかかるナースコールシステムのブロック図を図１に示す。図１にナースコールシステムは、本体部１、人感センサ２、呼び出し元表示装置４を有する。この中で実施の形態１にかかる電子ナースコール装置は、本体部１及び人感センサ２により構成される。
【００１１】
人感センサ２は、ベッドの近傍に配置され被介護者の動きを検出して、無線信号にて当該被介護者に動きがあったことを本体部１に通知する。人感センサ２は、無線信号を送信する無線送信部２１と、動体を検出するセンサ部２２と、を有する。センサ部２２は、予め設定される検出エリア内にて動体の存在を検出すると動体検出信号ＳＥＮを出力する。無線送信部２１は、動体検出信号ＳＥＮが入力されたことに応じて本体部１に無線信号を出力する。
【００１２】
本体部１は、無線信号によって人感センサ２から動体が検出されたことの通知を受けると、当該通知に応じてナースコール信号を生成する。このナースコール信号は、壁面に設けられた壁面端子ＮＳＴを介して呼び出し元表示装置４に伝える。呼び出し元表示装置４は、呼び出し元を示す表示を行う。ナースナースコールシステムでは、呼び出し元表示装置が親機として機能し、本体部１は子機として機能する。つまり、図１では、本体部１を１つのみ示したが、本体部１は、建物内に複数の部屋がある場合、各部屋に１つずつ設置される。また、呼び出し元表示装置は、表示装置側端子３を介してナースコール信号を受け取るが、この表示装置側端子３には交換器のような装置が組み込まれており、複数の部屋から出力されるナースコール信号のとりまとめを行う。なお、各部屋の壁面端子ＮＳＴから表示装置側端子３までは構内配線５により接続される
【００１３】
本体部１は、無線受信部１１、制御部１２、ナースコールインジケータ１３、計測状態インジケータ（例えば、ケアタイムインジケータ１４）を有する。無線受信部１１は、無線信号により人感センサ２が動体検出したことを受信すると動作開始信号ＳＴを生成する。制御部１２は、動作開始信号ＳＴの入力を受けてナースコール信号を生成する。また、制御部１２は、動作状態に応じてナースコールインジケータ１３及びケアタイムインジケータ１４の点灯、点滅及び消灯を制御する。さらに、制御部１２は、動作開始信号ＳＴの入力を受けた後にナースコール信号が誤って送信されることを防止するケアタイム制御処理を行う。このケアタイム制御処理の詳細は後述する。
【００１４】
続いて、人感センサ２の設置方法と、人感センサ２の検知エリアについて説明する。そこで、実施の形態１にかかる人感センサ２の設置位置と実施の形態１にかかるナースコールシステムの検出エリアとを説明するための図を図２に示す。
【００１５】
図２の上面視の図に示すように、人感センサ２は、人感センサ２を起点に扇状に拡がる検知エリアを有する。そして、実施の形態１にかかるナースコールシステムでは、被介護者の上半身を覆うように検知エリアを設定する。また、本体部１は、人感センサ２から見通せる位置に配置することが好ましい。そして、本体部１は壁面端子３にケーブルで接続する。
【００１６】
また、図２の側面視の図に示すように、実施の形態１では、検知エリアは、患者の上半身を覆うように設定される。また、検知エリアは、寝ている状態では被介護者の体が検知エリア外となり、被介護者が手を挙げる、あるいは、被介護者が起き上がったときに被介護者の体の一部が検知エリア内となるように設定される。
【００１７】
検知エリアをこのように設定することで、ベッド周辺（例えば、足下）の廊下を他人が通過したときに人感センサ２が動体を検出することを防止することができる。また、検知エリアをこのように設定することで、被介護者が起き上がった場合に早期にナースコール通知を行うことができる。このように、早期に起き上がりを検出することで、被介護者がベッドから転落する、あるいは、着地時に転倒する等の事故を防止することができる。
【００１８】
続いて、本体部１について詳細に説明する。そこで、図３に実施の形態１にかかる電子ナースコール装置（特に本体部１）のブロック図を示す。図３に示すように、本体部１は、無線受信部１１、制御部１２を有する。そして、制御部１２は、通報信号生成部３１、ナースコールスイッチ３２、ケアタイム制御部３３、ＬＥＤ駆動部３４を有する。
【００１９】
通報信号生成部３１は、無線受信部１１が無線信号を受信したことに応じて生成した動作開始信号ＳＴに応じて通報信号ＣＡＬを生成する。なお、通報信号生成部３１は、動作開始信号ＳＴがイネーブル状態となっている期間の長さにかかわらず、予め所定のイネーブル期間を有する通報信号ＣＡＬを生成する。これにより、人感センサ２による動体検知時間の間ずっと通知信号ＣＡＬがハイレベルとなることを防止する。
【００２０】
ナースコールスイッチ３２は、通報信号ＣＡＬに応じてナースコール信号を出力する。このナースコールスイッチ３２は、例えば、通報信号ＣＡＬがハイレベルになったことに応じてナースコール信号を伝達する２つの配線間を短絡させるものである。
【００２１】
ケアタイム制御部３３は、通報信号ＣＡＬに応じてケアタイムの計時を開始し、ケアタイムの経過時間に応じて通報信号生成部３１による通報信号ＣＡＬの生成の可否を制御する。より具体的には、ケアタイム制御部３３は、計測しているケアタイムが予め設定された終了時間に達するまで通報信号生成部３１による通報信号の生成を停止させる。またケアタイム制御部３３は、終了時間の前に設定される終了予告期間の間に動作開始信号ＳＴの入力があった場合には、ケアタイムの計測値をリセットした上で再度ケアタイムの計時処理を行う。つまり、ケアタイム制御部３３は、人感センサ２による動体検出に応じて生成される動作開始信号ＳＴの有無にかかわらず、ケアタイム中に新たに通報信号ＣＡＬが生成されることを禁止する。また、ケアタイム制御部３３は、ケアタイムの終了間際に再度動作開始信号ＳＴが入力された場合にはケアタイムを延長することを可能とする。
【００２２】
ケアタイム制御部３３は、ケアタイムの経過時間に応じて外部に設けられるケアタイムインジケータの点滅間隔を制御するインジケータ制御信号（例えば、ケアタイム信号ＬＣＳ１及び終了予告信号ＬＣＳ２）を出力し、ケアタイムが終了予告期間である場合は、他の期間よりもケアタイムインジケータの点滅間隔を短くする。より具体的には、ケアタイム制御部３３は、ケアタイムの計測開始からケアタイムが終了時間に達するまでの期間ケアタイム信号ＬＣＳ１をイネーブル状態（例えば、ハイレベル）とする。また、ケアタイム制御部３３は、計測しているケアタイムの値が終了予告期間となった場合には終了予告信号ＬＣＳ２をイネーブル状態（例えば、ハイレベル）とする。
【００２３】
ＬＥＤ駆動部３４は、通報信号ＣＡＬが入力された後、ケアタイム信号ＬＣＳ１がディスイネーブル状態となるまでの期間ナースコールインジケータ１３を点灯させる。また、ＬＥＤ駆動部３４は、ケアタイム信号ＬＣＳ１がイネーブル状態となったことに応じてケアタイムインジケータ１４を点滅させる。さらに、ＬＥＤ駆動部３４は、ケアタイム信号ＬＣＳ１がイネーブル状態である期間に終了予告信号ＬＣＳ２がイネーブル状態となった場合、ケアタイムインジケータ１４の点滅間隔を他の期間よりも短くする。
【００２４】
続いて、実施の形態１にかかる電子ナースコール装置の動作について説明する。まず、実施の形態１にかかる電子ナースコール装置の動作を示すフローチャートを図４に示す。図４に示すように、実施の形態１の電子ナースコール装置は、電源が投入されたことに応じて、本体部１及び人感センサ２が動作し、人感センサ２にて動体が検出されるまで動体検出処理を継続する（ステップＳ１）。
【００２５】
そして、ステップＳ１にて、動体が検出されると、本体部１の無線受信部１１が動作開始信号ＳＴを生成し、当該動作開始信号ＳＴに応じて通報信号生成部３１が通報信号ＣＡＬを生成する（ステップＳ２）。次いで、本体部１は、通報信号ＣＡＬに応じてナースコール信号の発信し、ナースコールインジケータを点灯させる（ステップＳ３）。また、本体部１のケアタイム制御部３３は、通報信号ＣＡＬに応じてケアタイム信号ＬＣＳ１を出力してケアタイムインジケータを点滅させる（ステップＳ３）。
【００２６】
続いて、本体部１のケアタイム制御部３３は、通報信号ＣＡＬが入力されたことに応じてケアタイムの計測値をリセットし（ステップＳ４）、ケアタイムの計測を開始する（ステップＳ５）。また、ケアタイム制御部３３は、ケアタイムの計測の開始に合わせて通報無効化信号ＤＩＳをイネーブル状態（例えば、ハイレベル）として、通報信号生成部３１による新たな通報信号ＣＡＬの生成を禁止する（ステップＳ６）。
【００２７】
続いて、ケアタイム制御部３３は、ケアタイムの時間が予め設定した終了予告時間に達するまで現状態を維持し、ケアタイムの時間が終了予告時間に達したことに応じて、終了予告信号ＬＣＳ２をイネーブル状態（例えば、ハイレベル）にしてケアタイムインジケータの点滅間隔をそれ以前に比べて短くする（ステップＳ７、Ｓ８）。
【００２８】
続いて、ケアタイム制御部３３は、ケアタイムの値が予め設定した終了時間に達するまで人感センサ２による動体の検出を待つ（ステップＳ９、Ｓ１０）。そして、ケアタイム制御部３３は、ステップＳ９、Ｓ１０の処理を行う終了予告期間において人感センサ２により動体が検出された場合（ステップＳ９のＹＥＳの枝）、ケアタイムの計測値をリセットして（ステップＳ４）、再度ケアタイムの計測を開始する（ステップＳ５）。一方、ケアタイム制御部３３は、終了予告期間において人感センサ２にて動体が検出されなかった場合（ステップＳ１０のＹＥＳの枝）、通報無効化信号ＤＩＳをディスイネーブル状態（例えば、ロウレベル）として通報信号ＣＡＬの生成禁止を解除する（ステップＳ１１）。また、ケアタイム制御部３３は、ケアタイム信号ＬＣＳ１及び終了予告信号ＬＣＳ２をディスイネーブル状態（例えば、ロウレベル）としてナースコールインジケータ１３及びケアタイムインジケータ１３を消灯して（ステップＳ１２）、再び人感センサ２にて動体が検出されるのを待つ（ステップＳ１）。
【００２９】
続いて、図４に示したフローチャートに従った動作についてタイミングチャートを用いて説明する。図５に実施の形態１にかかる電子ナースコール装置の動作を示すタイミングチャートを示す。図５に示したタイミングチャートは、終了予告期間に動体が検出されずに、当初設定したケアタイムが延長されることなく処理が終了した場合を示すものである。
【００３０】
まず、図５に示す例では、タイミングＴ０において動体が検出される。そのため、タイミングＴ０では、人感センサ２にて動体の検出に応じて動体検出信号ＳＥＮがイネーブル状態となる。そして、動体検出信号ＳＥＮがイネーブル状態となったことが無線信号を介して本体部１に通知される。そのため、本体部１では、無線信号の受信に応じて無線受信部１１が動作開始信号ＳＴをイネーブル状態とする。また、動作開始信号ＳＴがイネーブル状態となったことに応じて、通報信号生成部３１は通報信号ＣＡＬをイネーブル状態とし、イネーブル状態の通報信号ＣＡＬに応じてナースコール信号ＮＣＳがイネーブル状態となる。また、通報信号ＣＡＬがイネーブル状態となったことに応じてナースコールインジケータ１３が点灯する。
【００３１】
続いて、実施の形態１にかかる電子ナースコール装置では、タイミングＴ１においてナースコールによる呼び出し処理が終了し、ケアタイムの計測が開始される。このタイミングＴ１では、通報信号生成部３１が通報信号ＣＡＬを立ち下げる。そして、通報信号ＣＡＬの立ち下がりに応じて、ケアタイム制御部３３は、通報無効化信号ＤＩＳをイネーブル状態とする。これにより、通報信号生成部３１は、新たな通報信号ＣＡＬの生成を停止する。その後、ケアタイム制御部３３は、ケアタイムの計測を開始する。このケアタイムの計測期間の間ケアタイム制御部３３は、ケアタイム信号ＬＣＳ１をイネーブル状態とする。これにより、ケアタイムインジケータ１４は、遅い間隔で点滅する。
【００３２】
続いて、タイミングＴ２において、ケアタイムの値が終了予告時刻に達する。これにより、実施の形態１にかかる電子ナースコール装置では、ケアタイム制御部３３は、終了予告信号ＬＣＳ２をイネーブル状態とする。これにより、ケアタイムインジケータ１４は早い間隔で点滅する。
【００３３】
そして、タイミングＴ３において、ケアタイムの値が終了時間に達する。そのため、実施の形態１にかかる電子ナースコール装置は、タイミングＴ３において、通報無効化信号ＤＩＳをディスイネーブル状態として通報信号ＣＡＬの生成禁止状態を解除する。また、タイミングＴ３において、実施の形態１にかかる電子ナースコールは、ケアタイム信号ＬＣＳ１及び終了予告信号ＬＣＳ２をディスイネーブル状態としてナースコールインジケータ１３及びケアタイムインジケータ１４を消灯する。つまり、実施の形態１にかかる電子ナースコール装置では、タイミングＴ１〜Ｔ３の期間がケアタイム期間となり、タイミングＴ２〜Ｔ３の期間が終了予告期間となる。
【００３４】
続いて、図６に実施の形態１にかかる電子ナースコール装置の動作を示すタイミングチャートを示す。図６に示したタイミングチャートは、終了予告期間に動体が検出され、当初設定したケアタイムが延長された後に処理が終了した場合を示すものである。なお、図６に示す例では、終了予告期間が開始されるタイミングＴ１２までの処理については、図５に示したタイミングＴ０〜Ｔ２までの処理と同じであるためここでは説明を省略する。
【００３５】
図６に示すタイミングチャートでは、タイミングＴ１２からＴ１４の期間に設定される終了予告期間の途中で動体検出信号ＳＥＮに基づき動作開始信号ＳＴがイネーブル状態となる。そのため、図６に示すタイミングチャートでは、動作開始信号ＳＴがイネーブル状態に切り替わったタイミングＴ１３において終了予告信号ＬＣＳ２がイネーブルからディスイネーブル状態に切り替わり、ケアタイムインジケータ１４の点滅間隔が遅くなる。また、タイミングＴ１３において、ケアタイム制御部３３は、ケアタイムの計測値をリセットして、タイミングＴ１３から新たにケアタイムの計測を開始する。なお、ケアタイムの再計測に応じて、当初設定されていた終了時間におけるケアタイムの終了処理は廃棄される
【００３６】
続いて、タイミングＴ１５において、ケアタイムの値が再度終了予告時刻に達する。これにより、実施の形態１にかかる電子ナースコール装置では、ケアタイム制御部３３が、終了予告信号ＬＣＳ２をイネーブル状態とする。これにより、ケアタイムインジケータ１４は早い間隔で点滅する。
【００３７】
そして、タイミングＴ１６において、ケアタイムの値が終了時間に達する。そのため、実施の形態１にかかる電子ナースコール装置は、タイミングＴ１６において、通報無効化信号ＤＩＳをディスイネーブル状態として通報信号ＣＡＬの生成禁止状態を解除する。また、タイミングＴ３において、実施の形態１にかかる電子ナースコールは、ケアタイム信号ＬＣＳ１及び終了予告信号ＬＣＳ２をディスイネーブル状態としてナースコールインジケータ１３及びケアタイムインジケータ１４を消灯する。図６に示したタイミングチャートに示すように、実施の形態１にかかる電子ナースコール装置では、ケアタイムの終了予告期間中に動作開始信号ＳＴの入力があった場合にはケアタイムを延長する。
【００３８】
上記説明より、実施の形態１にかかる電子ナースコール装置は、当初設定したケアタイムの終了直前に設定される終了予告期間中に動作開始信号ＳＴの入力があった場合にケアタイムを延長することができる。これにより、実施の形態１にかかる電子ナースコール装置は、当初設定したケアタイムの時間内に介護が完了しない場合においてもナースコール信号が誤って送信されることを防止することができる。
【００３９】
また、実施の形態１にかかる電子ナースコール装置では、非介護者の上半身の上方に設定される人感センサ２の検出エリア内の動体を検出することで動作開始信号ＳＴが生成される。例えば、介護作業中は体の一部が必然的に検出エリア内に入ることが多いため、実施の形態１にかかる電子ナースコール装置を用いることで、介護作業中は特にボタン操作等を行うことなくケアタイムが延長される。つまり、実施の形態１にかかる電子ナースコール装置は、介護者が離れた位置にあるボタンを操作することなく、非介護者の近傍に位置する検出エリアに体の一部を入れるのみでケアタイムの制限時間を気にせずに介護を行いながらナースコール信号の誤送信を防止することができる。
【００４０】
なお、介護作業中に検出エリア内に体の一部がない場合においても、ケアタイムインジケータ１４の点滅間隔が短くなったことに応じて検出エリアに体の一部を入れることでケアタイムを延長することができる。この場合においても、介護者が離れた位置にあるボタンを操作することなく、ナースコール信号の誤送信を防止することができる。
【００４１】
また、実施の形態１にかかる電子ナースコール装置は、ナースコール信号を発信した直後から自動的に動体が検出されたことによるナースコール信号の生成を禁止することができる。これにより、実施の形態１にかかる電子ナースコール装置は、ナースコールに応じて介護者が駆けつけた場合にも何らボタン操作を行うことなくナースコール信号の誤送信を防止することができる。このように自動的にナースコール信号の誤送信を防止することで利用者の作業負担を大幅に削減することができる。
【００４２】
また、実施の形態１にかかる電子ナースコール装置は、ケアタイムの計測値が終了値に達したことに応じて、動作開始信号ＳＴに基づくナースコール信号の生成の禁止状態が介助される。つまり、実施の形態１にかかる電子ナースコール装置の利用者は、何らの操作を行うことなく人感センサ２による非介護者の見守り処理を復帰させることができる。これにより、実施の形態１にかかる電子ナースコール装置を用いることで、スイッチ等の操作ミスによって機器が動作しないことを防止することができる。
【００４３】
実施の形態２
実施の形態２では、１つの本体部１に対して複数の人感センサを設置する実施の形態について説明する。そこで、実施の形態２にかかるナースコールシステムのブロック図を図７に示す。図７に示すように、実施の形態２にかかるナースコールシステムは、実施の形態１にかかる本体部１に対して複数の人感センサ（例えば、人感センサ２ａ〜２ｄ）を設けたものである。なお、実施の形態２において実施の形態１と同じ構成要素については、実施の形態１と同じ符号を付して説明を省略する。
【００４４】
この人感センサ２ａ〜２ｄは、例えば、本体部１が設置される部屋に設置されるものである。また、人感センサ２ａ〜２ｄは、同じ構成のものであるため、ここでは、人感センサ２ａを例に実施の形態２にかかる人感センサを説明する。
【００４５】
図７に示すように、人感センサ２ａは、センサ部２２ａ、無線送信部２１ａに加えてライト制御部２３ａ及び補助ライト２４ａを有する。センサ部２２ａと無線送信部２１ａは、実施の形態１にかかるセンサ部２２及び無線送信部２１と同じものである。ライト制御部２３ａは、センサ部２２ａから出力される動体検出信号ＳＥＮに応じて一定期間の間補助ライト２４ａを点灯させる。補助ライト２４ａは、天井方向に向けられ、点灯状態において天井を照らす。
【００４６】
実施の形態２にかかる電子ナースコール装置では、ナースコール信号を生成する本体部１は１つのみであり、複数の人感センサのいずれかが動体検出した場合にも同じナースコール信号を出力する。そこで、実施の形態２にかかる電子ナースコール装置の動作について説明する。図８に、実施の形態２にかかる電子ナースコール装置の動作を示すタイミングチャートを示す。
【００４７】
図８に示すタイミングチャートは、人感センサ２ａにおいて動体が検出された場合のものである。また、図８に示すタイミングチャートでは、本体部１の動作に関しては図５に示したタイミングチャートと同じ動作である。そこで、図８に示したタイミングチャートの説明では、人感センサ部分の動作について特に説明する。
【００４８】
図８に示す例では、タイミングＴ２０において人感センサ２ａが動体を検出する。そして、タイミングＴ２０において、人感センサ２ａのセンサ部２２ａが動体検出信号ＳＥＮをイネーブル状態とする。そして、人感センサ２ａのライト制御部２３ａが補助ライト２４ａを点灯させる。そして、ライト制御部２３ａは、所定の期間（例えば、ケアタイムが終了時間に達するまでの期間と同じ期間）の間補助ライトを点灯した状態に維持する。一方、動体を検出しなかった人感センサ２ｂ〜２ｄは、補助ライト２４ｂ〜２４ｄを消灯状態で維持する。
【００４９】
上記説明より、実施の形態２にかかる電子ナースコール装置では、１つの本体部１に対して複数の人感センサが設けられる。この場合、いずれの人感センサからナースコールの呼び出しがあったかが分かりづらい。しかし、実施の形態２にかかる電子ナースコール装置では、人感センサ２ａ〜２ｄは、動体検出信号ＳＥＮに応じて補助ライトによって天井を照らす。これにより、駆けつけた介護者は補助ライトの明かりを手がかりに介助が必要な非介護者を迷うことなく認識することができる。
【００５０】
また、実施の形態２にかかる電子ナースコールでは、補助ライトが天井を照らすため、複数のベッドがカーテン等で仕切られた部屋においても天井の明かりを手がかりに介護者が呼び出し元のベッドを迷わずに認識することができる。
【００５１】
実施の形態３
実施の形態３では、ナースコール信号に代えて、電子メールにて被介護者からの通知を伝える実施の形態について説明する。実施の形態３にかかるナースコールシステムのブロック図を図９に示す。なお、実施の形態３において実施の形態１と同じ構成要素については実施の形態１と同じ符号を付して説明を省略する。
【００５２】
図９に示すように、実施の形態３にかかるナースコールシステムは、実施の形態１にかかる本体部１に代えて本体部１ａを有する。また、実施の形態３にかかるナースコールシステムでは、構内配線及び親機として機能する呼び出し元表示装置に代えて、公衆ネットワークと、メールサーバー６と、被通報者端末（例えば、携帯電話）７と、を有する。
【００５３】
本体部１ａは、実施の形態１にかかる本体部１にメール送信部１５を追加したものである。また、本体部１ａでは、制御部１２で生成した通報信号ＣＡＬをメール送信部１５に出力する。実施の形態３にかかるナースコールシステムでは、ナースコール信号に代えてメール送信部１５において生成された電子メールを公衆ネットワーク及びメールサーバー６を介して被通用者端末７に伝達することで被介護者からの呼び出しを介護者に伝える。
【００５４】
そこで、図１０に実施の形態３にかかる本体部１ａのブロック図を示す。図１０に示すように、本体部１ａは、制御部１２からナースコールスイッチ３２を削除し、メール送信部１５を追加したものである。また、メール送信部１５は、メール生成部４１及び通信部（例えば、ルーター４２）を有する。メール送信部４１は、通報信号ＣＡＬに応じて電子メールＥＭを生成する。ルーター４２は、衆ネットワークを介して生成された電子メールＥＭを公メールサーバー６に送信する。なお、メール生成部４１が生成する電子メールは、予め設定された定型文を含むものである。
【００５５】
続いて、実施の形態３にかかる電子ナースコール装置の動作について説明する。そこで、図１１に実施の形態３にかかる電子ナースコール装置の動作を示すフローチャートを示す。図１１に示すように、実施の形態３の電子ナースコール装置は、電源が投入されたことに応じて、本体部１ａ及び人感センサ２が動作し、人感センサ２にて動体が検出されるまで動体検出処理を継続する（ステップＳ１）。
【００５６】
そして、ステップＳ１にて、動体が検出されると、本体部１ａの無線受信部１１が動作開始信号ＳＴを生成し、当該動作開始信号ＳＴに応じて通報信号生成部３１が通報信号ＣＡＬを生成する（ステップＳ２）。次いで、本体部１ａは、通報信号ＣＡＬに応じてナースコールインジケータを点灯させる（ステップＳ２１）。また、本体部１ａのケアタイム制御部３３は、通報信号ＣＡＬに応じてケアタイム信号ＬＣＳ１を出力してケアタイムインジケータを点滅させる（ステップＳ２１）。さらに、本体部１ａは、通報信号ＣＡＬに応じて電子メールを生成し（ステップＳ２２）、生成した電子メールを送信する（ステップＳ２３）。
【００５７】
続いて、本体部１ａは、実施の形態１にかかる本体部１と同様にケアタイム制御処理を実行する。このケアタイム制御処理は、図４に示したフローチャートのステップＳ４〜Ｓ１２で説明した処理である。
【００５８】
続いて、図１１に示したフローチャートに従った動作についてタイミングチャートを用いて説明する。図１２に実施の形態３にかかる電子ナースコール装置の動作を示すタイミングチャートを示す。図１２に示すタイミングチャートは、終了予告期間に動体が検出されずに、当初設定したケアタイムが延長されることなく処理が終了した場合を示すものである。つまり、図１２に示したタイミングチャートは、実施の形態３にかかる電子ナースコール装置が図５に示したタイミングチャートと同じ動体検出信号ＳＥＮに基づき動作した場合を示すものである。
【００５９】
図１２に示すように、このタイミングチャートでは、電子メール送信処理以外の動作は図５に示した実施の形態１にかかる電子ナースコール装置と同じである。図１２に示すように、実施の形態３にかかる電子ナースコール装置では、動作開始信号ＳＴに応じて通報信号ＣＡＬが生成され、当該通報信号ＣＡＬに応じて電子メールの送信処理が行われる。つまり、実施の形態３にかかる電子ナースコール装置では、ナースコール信号に代えて電子メールが送信される。
【００６０】
続いて、図１３に実施の形態１にかかる電子ナースコール装置の動作を示すタイミングチャートを示す。図１３に示したタイミングチャートは、終了予告期間に動体が検出され、当初設定したケアタイムが延長された後に処理が終了した場合を示すものである。つまり、図１３に示したタイミングチャートは、実施の形態３にかかる電子ナースコール装置が図６に示したタイミングチャートと同じ動体検出信号ＳＥＮに基づき動作した場合を示すものである。
【００６１】
図１３に示す例においても、タイミングチャートは、電子メール送信処理以外の動作は図６に示した実施の形態１にかかる電子ナースコール装置と同じである。図１３に示すように、実施の形態３にかかる電子ナースコール装置では、動作開始信号ＳＴに応じて通報信号ＣＡＬが生成され、当該通報信号ＣＡＬに応じて電子メールの送信処理が行われる。つまり、実施の形態３にかかる電子ナースコール装置では、ナースコール信号に代えて電子メールが送信される。また、実施の形態３にかかる電子ナースコール装置では、ケアタイムが延長された後も電子メールが誤送信されることは通報信号生成部３１及びケアタイム制御部３３により禁止される。
【００６２】
上記説明より、実施の形態３にかかる電子ナースコール装置では、実施の形態１にかかる電子ナースコール装置と同様の手順でナースコール信号の代わりに電子メールを送信する。つまり、実施の形態３にかかる電子ナースコール装置を用いることで、通報の誤送信の防止、ケアタイムの延長処理等を行うことができる。
【００６３】
また、実施の形態３にかかる電子ナースコール装置では、従来のナースコールシステムのように構内配線を必要としたないため、設置工事を行うことなく装置の設置を行うことができる。また、実施の形態３にかかる電子ナースコール装置では、電子メールにより通報を行うため、介護者が呼び出し元表示装置の見える位置にいなくても通報を受け取ることができる。つまり、実施の形態３にかかる電子ナースコール装置によれば、通報先の柔軟性を確保することができる。
【００６４】
また、実施の形態３にかかる電子ナースコール装置では、電子メールにより通報を行うため、この電子メールの統計を取ることで、被介護者の夜間の起き上がりの回数の推移等を把握することができる。このような統計データは、被介護者の健康状態の把握に役立てることができるものである。通常のナースコールシステムでは、このような統計データを取得するためには別途システムを構築しなければならないが、実施の形態３にかかる電子ナースコール装置では、システムの追加をすることなくこのような統計データを取得することができる。
【００６５】
また、実施の形態３にかかる電子ナースコール装置では、メール送信部１５に決まった時刻に定期的に電子メールを送信する機能を付加することもできる。このように、人感センサ２による動体検出の有無にかかわらず、定期的に電子メールを送信することでシステムの故障を早期に発見することができる。つまり、実施の形態３にかかる電子ナースコール装置によれば信頼性の高いナースコールシステムを構築することが可能である。
【００６６】
実施の形態４
実施の形態４では、実施の形態１にかかる電子ナースコール装置に実施の形態３にかかる電子ナースコール装置のメール送信機能を付加した実施の形態について説明する。そこで、実施の形態４にかかるナースコールシステムのブロック図を図１４に示す。なお、なお、実施の形態４において実施の形態１、３と同じ構成要素については実施の形態１、３と同じ符号を付して説明を省略する。
【００６７】
図１４に示すように、実施の形態４にかかるナースコールシステムは、本体部１に代えて本体部１ｂを有する。また、実施の形態４にかかるナースコールシステムは、表示装置側端子３、呼び出し元表示装置４、構内配線５を含む構内のナースコールシステムに加えて公衆ネットワークを介して接続されるメールサーバー６及び被通報者端末７を有する。
【００６８】
本体部１ｂは、実施の形態１にかかる本体部１にメール送信部１５を加えたものである。また、本体部１ｂは、実施の形態１にかかる本体部１と同様にナースコール信号を生成して、壁面端子ＮＳＴを介してナースコール信号を呼び出し元表示装置４に伝達する。
【００６９】
ここで、本体部１ｂについて詳細に説明する。図１５に実施の形態３にかかる電子ナースコール装置のブロック図を示す。図１５に示すように、本体部１ｂは、実施の形態１にかかる本体部１にメール送信部１５を追加したものである。このメール送信部１５は、メール生成部４１及びルーター４２を有し、通報信号ＣＡＬに応じて電子メールを生成する。そして、メール送信部１５は、生成した電子メールＥＭをルーター４２によってメールサーバー６に伝達する。
【００７０】
続いて、実施の形態４にかかる電子ナースコール装置の動作について説明する。そこで、図１６に実施の形態４にかかる電子ナースコール装置の動作を示すフローチャートを示す。図１６に示すように、実施の形態４の電子ナースコール装置は、電源が投入されたことに応じて、本体部１ｂ及び人感センサ２が動作し、人感センサ２にて動体が検出されるまで動体検出処理を継続する（ステップＳ１）。
【００７１】
そして、ステップＳ１にて、動体が検出されると、本体部１ｂの無線受信部１１が動作開始信号ＳＴを生成し、当該動作開始信号ＳＴに応じて通報信号生成部３１が通報信号ＣＡＬを生成する（ステップＳ２）。次いで、本体部１ｂは、通報信号ＣＡＬに応じてナースコール信号を発信し、さらに、ナースコールインジケータを点灯させる（ステップＳ２１）。また、本体部１ｂのケアタイム制御部３３は、通報信号ＣＡＬに応じてケアタイム信号ＬＣＳ１を出力してケアタイムインジケータを点滅させる（ステップＳ３）。さらに、本体部１ｂは、通報信号ＣＡＬに応じて電子メールを生成し（ステップＳ２２）、生成した電子メールを送信する（ステップＳ２３）。
【００７２】
続いて、本体部１ｂは、実施の形態１にかかる本体部１と同様にケアタイム制御処理を実行する。このケアタイム制御処理は、図４に示したフローチャートのステップＳ４〜Ｓ１２で説明した処理である。
【００７３】
なお、実施の形態１にかかる電子ナースコール装置のタイミングチャートは、例えば、図５に示したタイミングチャートに、図１２に示したタイミングチャートの電子メール送信処理を加えたものとなるため、ここでは説明を省略する。
【００７４】
上記説明より、実施の形態４にかかる電子ナースコール装置は、実施の形態１にかかる電子ナースコールの通報信号生成部３１、ナースコールスイッチ３２、ケアタイム制御部３３等の特徴と、実施の形態３にかかる電子ナースコール装置のメール送信部１５等の特徴とを有する。これにより、実施の形態４にかかる電子ナースコール装置は、実施の形態１と同様にナースコール信号の誤送信の防止と、ケアタイムの延長処理と、作業ミスによるシステム非動作時間の防止と、を実現しながら、電子メールによる被介護者に関する統計データの蓄積と、信頼性確保と、通報先の柔軟性を確保と、を実現することができる。
【符号の説明】
【００７５】
１  本体部
２  人感センサ
３  表示装置側端子
４  呼び出し元表示装置
５  構内配線
６  メールサーバー
７  被通報者端末
ＮＳＴ  壁面端子
１１  無線受信部
１２  制御部
１３  ナースコールインジケータ
１４  ケアタイムインジケータ
１５  メール送信部
２１  無線送信部
２２  センサ部
３１  通報信号生成部
３２  ナースコールスイッチ
３３  ケアタイム制御部
３４  ＬＥＤ駆動部
４１  メール生成部
４２  ルーター
ＳＥＮ  動体検出信号
ＳＴ  動作開始信号
ＣＡＬ  通報信号
ＮＣＳ  ナースコール信号
ＤＩＳ  通報無効化信号
ＬＣＳ１  ケアタイム信号
ＬＣＳ２  終了予告信号
【図１】
2014042735.tif 000003
【図２】
2014042735.tif 000004
【図３】
2014042735.tif 000005
【図４】
2014042735.tif 000006
【図５】
2014042735.tif 000007
【図６】
2014042735.tif 000008
【図７】
2014042735.tif 000009
【図８】
2014042735.tif 000010
【図９】
2014042735.tif 000011
【図１０】
2014042735.tif 000012
【図１１】
2014042735.tif 000013
【図１２】
2014042735.tif 000014
【図１３】
2014042735.tif 000015
【図１４】
2014042735.tif 000016
【図１５】
2014042735.tif 000017
【図１６】
2014042735.tif 000018